(57)【特許請求の範囲】
【請求項１】
ヤシ油脂肪酸３０部と、アルギニン２０部と、ステアリン酸１０部を用いて中和した脂肪酸を使用したことを特徴とする固形石鹸。
【請求項２】
ヤシ油脂肪酸３０部、ステアリン酸１０部、アルギニン２０部、９０％乳酸水溶液３部、７０％グリコール酸水溶液３部及びその他の成分を加え、全量を１００部とし、これを８０℃で加熱溶解させて脂肪酸を中和した後、冷却し、成形硬化することを特徴とした固形石鹸の製造方法。
【発明の詳細な説明】
【０００１】
【発明の属する技術分野】
この発明は、脂肪酸をアルギニンで中和することにより透明性が高く、かつ安全性が高いことを目的とした固形石鹸及びその製造方法に関する。
【０００２】
【従来の技術】
従来固形石鹸は、身体を清浄にする目的で洗浄料として用いられている。近年、アトピー性皮膚炎等のアレルギー、社会環境の複雑化や食生活の変化に伴い皮膚刺激に対して敏感な人が増大している。洗浄は、身体を清潔に保つ上で重要かつ不可欠なものであり、皮膚刺激に対して敏感な人が増大した今日、安全性の高い洗浄料が求められている。
【０００３】
従来、固形石鹸を製造するために用いる脂肪酸の中和に用いる塩基としては、ナトリウムを用いた物が主流であり、他にカリウム、トリエタノールアミン等を用いた物もある。
【０００４】
【発明により解決しようとする課題】
前記固形石鹸は、塩基を用いて脂肪酸を中和し製造されるが、中和に用いる塩基について以下のような安全性面の問題点がある。
【０００５】
前記ナトリウム、カリウム等のアルカリ金属は、刺激性の強い強塩基であり中和された石鹸も塩基性が強く、また、これらの塩基は極めて親水性が強いので汚れ以外の皮膚を保護する上で必要な成分を除去して、塩基性の強さとの相互作用により皮膚刺激を発生させる原因となる。
【０００６】
また、トリエタノールアミンは有機性が高くそれで得られた石鹸は穏やかに汚れを除去するが、トリエタノールアミンの合成過程において副産物として発生する極めて発癌性の高い物質ニトロソアミンが１００％完全に除去されているか不明であり、安全性の上で疑問が残り、生分解性も良好では無く環境汚染の問題もある。
【０００７】
更に、一般の固形石鹸は成型に、プレスの圧力が必要で成型加工するための機械力が必要となり、透明な固形石鹸は、熟成が必要であり最終製品を得るには長期間を要する。
【０００８】
【課題を解決するための手段】
この発明は、脂肪酸の中和に用いる塩基として安全性の高い塩基性アミノ酸であるアルギニンを用いることにより、穏やかに汚れを除去し、皮膚を保護する上で必要な成分を除去することが無く安全性の高い透明性の高い固形石鹸が熟成期間を要さないで得ることができる。
【０００９】
即ちこの発明は、ヤシ油脂肪酸３０部と、アルギニン２０部と、ステアリン酸１０部を用いて中和した脂肪酸を使用したことを特徴とする固形石鹸であり、ヤシ油脂肪酸３０部、ステアリン酸１０部、アルギニン２０部、９０％乳酸水溶液３部、７０％グリコール酸水溶液３部及びその他の成分を加え、全量を１００部とし、これを８０℃で加熱溶解させて脂肪酸を中和した後、冷却し、成形硬化することを特徴とした固形石鹸の製造方法である。
【００１０】
この発明で用いるアルギニンは、刺激が無い極めて安全性の高い塩基性アミノ酸であり、自然界に広く存在し生分解性も極めて良好である。また、皮膚への吸着性があり皮膚組織に浸透し水分量を向上させ荒れ肌を改善する効果や刺激緩和効果がある、更には、皮膚細胞の新陳代謝を高める働きがあり創傷を治癒させる効果がある。
【００１１】
この様な、付加価値の高い塩基性アミノ酸であるアルギニンを用い脂肪酸を中和した石鹸は、洗浄剤としての機能のみならず、安全性が高く生分解性に優れ、保湿効果や創傷治癒効果も兼ね備えた物となる。
【００１２】
また、石鹸には、中和に関与していない遊離のアルカリが微量存在し、アルカリ金属の場合は刺激の原因になるが、アルギニンで中和された石鹸の場合は、遊離しているアルギニンも上述のような付加価値の高い低刺激の物なので安全性が高いものが得られる。アルギニンで脂肪酸を中和した石鹸は、マイルドな洗浄成分として液状の物は流通している。
【００１３】
この機能性の高い石鹸を固形にし、かつ透明性を高めることにより、従来の固形石鹸と同様に取り扱え美感にも優れた物となる。また、透明であるがゆえに任意に着色を施すことで様々な外観の固形石鹸が作成できる。
【００１４】
この発明に供する脂肪酸としては、飽和脂肪酸、不飽和脂肪酸、ヒドロキシ脂肪酸、分枝脂肪酸などがあり、飽和脂肪酸として、カプリル酸、カプリン酸、ラウリン酸、ミリスチン酸、パルミチン酸、ステアリン酸、アラキジン酸、ベヘン酸、リグノセリン酸、セロチン酸など、不飽和脂肪酸として、ウンデシレン酸、ミリストレイン酸、パルミトレイン酸、オレイン酸、リノール酸、リノレン酸、エイコセン酸、アラキドン酸、エルカ酸など、ヒドロキシ脂肪酸として、リシノール酸、１２−ヒドロキシステアリン酸など、分枝脂肪酸として、２−エチルヘキサン酸、イソノナン酸、イソトリデカン酸、イソパルミチン酸、イソステアリン酸などを用いる。また、牛脂、ヤシ油、パーム油、パーム核油、オリーブ油、ヒマシ油、ナタネ油など天然油脂より得られた混合脂肪酸や、ホホバ油など天然エステル油より得られた混合脂肪酸、ラノリン脂肪酸などを用いることもできる。
【００１５】
この発明により得られた透明石鹸を着色するのに供する着色剤としては、青色１号、赤色４０１号、黄色２０１号などタール色素、クチナシ黄、カーサミン、コチニール、シコニン、銅クロロフィリンナトリウム、カロチン、グアイアズレン、カラメル、クルクミン、シアノコバラミン、リボフラビンなど天然色素、酸化チタン、ベンガラ、黄酸化鉄、黒酸化鉄、グンジョウ、黒酸化チタン、チタン酸リチウムコバルト、酸化鉄・酸化チタン焼成物、タルク、カオリン、マイカなど無機顔料などを用いる。また、ウコン抽出物、カミツレ抽出物、茶抽出物、シコン抽出物、クチナシ抽出物など植物などから得られた着色性のある抽出物を用いることもできる。
【００１６】
その他の添加成分として、グリセリンなどの多価アルコール類、エタノールなどのアルコール類、塩化ナトリウムなどの無機塩類、ショ糖、ソルビトールなどの糖類及び糖アルコール類、クエン酸、乳酸などの有機酸、硫酸、燐酸などの無機酸、２−メチル−２−ヒドキシメチル−１，３−プロパンジオールなどの有機塩基、アンモニア水、水酸化カリウムなどの無機塩基、ラウロイルグルタミン酸ナトリウムなどのアニオン界面活性剤、ステアリン酸ジエチルアミノエチルアミドなどのカチオン界面活性剤、ヤシ油脂肪酸アミドプロピルベタインなどの両イオン性界面活性剤、モノ脂肪酸グリセリンなどの非イオン性界面活性剤、スクワランなどの炭化水素、ホホバ油などのエステル油、オリーブ油などの油脂、セタノールなどの高級アルコール、カゼインなどの蛋白質及びその分解物、ヒアルロン酸などのムコ多糖類、鶏冠抽出物などの動植物及び微生物の抽出物、海藻末などの動植物及び菌体、グリチルリチン酸ジカリウムなどの抗炎症成分、ハッカ油などの賦香剤などを用いることができる。しかし、いずれの添加成分もこの発明の安全性、低刺激性に悪影響を与える量を添加するのは好ましくない。
【００１７】
【発明の実施の形態】
この発明は、アルギニンで中和した脂肪酸を使用し、常法により製造した固形石鹸である。従って刺激に敏感な人であっても安心して使用することができる。
【００１８】
また方法の発明は、脂肪酸２０〜５０質量％にアルギニン７〜３５質量％及びその他の成分を加え、加熱溶解させて脂肪酸を中和した後、この溶液を成形固化することを特徴とした固形石鹸の製造方法である。
【００１９】
即ち従来使用されていた中和剤を使用することなく、人体に無害なアルギニンを使用して刺激に弱い皮膚の人でも安心して使用することができる。
【００２０】
【実施例１】
ヤシ油脂肪酸３０部、ステアリン酸１０部、アルギニン２０部、その他成分を混合し全量を１００部とし、８０℃で加熱溶解させ脂肪酸の中和を行う。中和が完了すると均一な透明液ができ、冷却すると透明性は変化しないで徐々に硬化し３０℃程度で硬化が完了し透明性の高い固形石鹸が得られる。
【００２１】
この固形石鹸は、６０℃程度まで流動性があるので型に流したり、流通に用いるトレー容器などに直接流したりすることができる。また、硬化後切断整形することで様々な形の固形石鹸を得ることができる。
【００２２】
得られた固形石鹸は、透明性が高く表面の艶も良好な美感に優れたものであり、泡立ちが良好であり、洗い流しも良好でさっぱりと落とすことができる。また、使用後の肌の感触は、つっぱらず保湿性のあるしっとりとした感触であった。
【００２３】
【実施例２】
ヤシ油脂肪酸３０部、ステアリン酸１０部、アルギニン２０部、その他成分を混合し９９．９部とし、８０℃で加熱溶解させ脂肪酸の中和を行う。中和が完了した均一な透明液に黒酸化チタンを０．１部加え全量が１００部となる。顔料が沈降しないようにゆっくりと攪拌を続けながら６０℃まで冷却を行い型に流し室温まで冷却し、型より取り出す。
【００２４】
得られた固形石鹸は、黒色ではあるがベースが透明性の高いものを着色しているので硝子様の光沢があり深みのある色で、高級感のある美感に優れたものであり、また、使用感も良好であった。
【００２５】
また、黒酸化チタンも含め全量を混合して加熱溶解しても同様の固形石鹸が得られる。
【００２６】
【実施例３】
ヤシ油脂肪酸３０部、ステアリン酸１０部、アルギニン２０部、９０％乳酸水溶液３部、７０％グリコール酸水溶液３部、その他成分を加え全量を１００部とし、８０℃で加熱溶解させ脂肪酸の中和を行う。中和が完了すると均一な透明液ができ、冷却すると透明性は変化しないで徐々に硬化し３０℃程度で硬化が完了し透明性の高い固形石鹸が得られる。
【００２７】
乳酸やグリコール酸などのヒドロキシ有機酸は、角質除去効果があり皮膚組織の再生を促すものとして、化粧水などで用いられているが、作用が強いため適切な使用方法を行わないと、刺激が出たり炎症を発生させたりすることがある。
【００２８】
しかし、得られた固形透明石鹸は、ヒドロキシ有機酸の効果を持ちながら、アルギニンの刺激緩和効果、創傷治癒効果により、刺激や炎症を発生させることの無い、付加価値の高いものとなった。
【００２９】
得られた固形石鹸を、重篤な面疱を発生して皮膚に凹凸のある痕跡がある人に、毎日２回の洗顔で使用してもらったところ、約１ヶ月の使用で面疱の発生がなくなり、約３ヵ月後には凹凸が目立たなくなった。その間、刺激を訴える事は無く、炎症を発生させることも無かった。
【００３０】
【実施例４】
ミリスチン酸３０部、ステアリン酸１０部、アルギニン２０部、その他成分を混合し全量を１００部とし、８０℃で加熱溶解させ脂肪酸の中和を行う。中和が完了すると均一な透明液ができ、冷却すると透明性は変化しないで徐々に硬化し３０℃程度で硬化が完了し透明性の高い固形石鹸が得られる。
【００３１】
一般に固形石鹸は、ヤシ油脂肪酸を用いているが、ヤシ油脂肪酸には健常人には問題は無いが、アトピー性皮膚炎などの敏感肌の人には刺激や肌荒れの原因となる炭素数の少ない脂肪酸であるラウリン酸などが含まれている。
【００３２】
しかし、得られた固形石鹸はミリスチン酸以上の炭素数の脂肪酸のみで構成され、刺激が少なく、創傷治癒効果のあるアルギニンを用いて中和を行っているので敏感肌の人への使用には有効である。
【００３３】
アトピー性皮膚炎の患者に毎日2回の使用で約1ヶ月使用してもらった所、皮膚刺激を感ずることなく洗浄が行え、皮膚の状態も良好であった。
【００３４】
【発明の効果】
この発明により、透明性が高く、安全性の高い固形石鹸を得ることができる。また前記固形石鹸の材料に着色剤を混合または溶解することにより、幅広い外観で安全性の高い固形石鹸を得ることができる。
【００３５】
また、通常の脂肪酸ナトリウムを主体とした固形石鹸は高温でも流動性が無く機械力によるプレス成型が必要となるが、この本発明による固形石鹸は６０℃程度まで流動性があり成型が容易であり、型に流して成型したり流通に用いるトレー容器に直接流し込んだりすることができ、硬化後も無機塩基を用いた固形石鹸に比べて軟らかさがあるので切断による整形も容易である。
【００３６】
更に、この発明に供するアルギニンは安全性が高く生分解性も良好であり、皮膚に吸着し荒れ肌改善効果、刺激緩和効果、創傷治癒効果もあり、石鹸に供する塩基としての役割以外に極めて有効性の高いものであり、無機塩基を用いた石鹸で問題となるような遊離塩基の問題も無い。
【００３７】
この発明による固形石鹸は、ヒドロキシ有機酸のように皮膚組織再生効果があるが安全性において問題のある成分の有効性を維持した状態で安全性面を改善したものを得ることや、敏感肌において問題のある炭素数の少ない脂肪酸を用いないでアトピー性皮膚炎などの敏感肌でも用いることができる固形石鹸を得ることができる。